(57)【要約】【課題】  種々の曲率半径のパイプ状の被加工物の面取り加工を容易に且つ低コストで行なうことができる面取り機を提供する。【解決手段】  第一のガイド面１２及び第一のガイド面に垂直に隣接して配置された第二のガイド面１２を備え、第一のガイド面及び第二のガイド面の挟角部に面取孔１４を有するガイド部材１１と、面取孔内に配置される面取手段２０と、を有し、ガイド部材は、第二のガイド面における面取手段の両側に突出した回転軸を軸として回転可能に支持された一対のガイドローラー１５ａ，１５ｂを備え、面取り作業時には、第一のガイド面は被加工物の側面または内側面に当接し、第二のガイド面は被加工物の端面に当接し、一対のガイドローラーは被加工物の側面または内側面に当接した状態で、被加工物の側面または内側面に沿って案内されながら、面取手段により被加工物の端面が面取りされるように、面取り機１０を構成する。【選択図】  図２
2014014888.tif 000002
【特許請求の範囲】
【請求項１】
第一のガイド面及び前記第一のガイド面に垂直に隣接して配置された第二のガイド面を備え、前記第一のガイド面及び第二のガイド面の挟角部に面取孔を有するガイド部材と、
前記面取孔内に配置される面取手段と、
を有し、
前記ガイド部材は、前記第二のガイド面における前記面取手段の両側に突出した回転軸を軸として回転可能に支持された一対のガイドローラーを備え、
面取り作業時には、第一のガイド面は被加工物の外側面に当接し、前記第二のガイド面は被加工物の端面に当接し、前記一対のガイドローラーは被加工物の外側面または内側面に当接した状態で、被加工物が前記一対のガイドローラーに案内されつつ、面取手段により被加工物の端面縁部が面取りされる、面取り機。
【請求項２】
前記一対のガイドローラーが、前記第一のガイド面に対して平行に延びるスロットに沿って移動可能に配置され、且つ固定手段により前記スロット内の任意位置で固定保持される、請求項１に記載の面取り機。
【請求項３】
前記一対のガイドローラーが、前記第一のガイド面から離れるにつれて互いに近づく方向に傾斜して延びる一対のスロットに沿って移動可能に配置され、且つ固定手段により前記スロット内の任意位置で固定保持される、請求項１に記載の面取り機。
【請求項４】
前記スロットに挿通される移動軸と、この移動軸に対してオフセットして設けられたローラー軸とを有し、前記一対のガイドローラーが、前記移動軸に回転可能に取り付けられている、請求項１から３のいずれかに記載の面取り機。
【発明の詳細な説明】
【技術分野】
【０００１】
本発明は、金属製のパイプや平板等の被加工物の端縁を面取り加工するための面取り機に関するものである。
【背景技術】
【０００２】
従来、被加工物の端縁を面取り加工するための面取り機のうち、工場の床面等に設置する据え置き型の面取り機は、金属製のパイプや角材あるいは不定形の被加工物の外周端縁の面取り加工を行なうことができるが、装置が大型となり、設置場所を確保する必要があると共に、初期コストが高くなってしまっていた。
【０００３】
これに対して、例えばハンドベベラーとして知られる手持ちの面取り機も市販されている。このような手持ちの面取り機は、被加工物の端縁及び側面に当接するガイド部材と、このガイド部材に対して揺動可能に支持された面取り手段と、から構成されており、ガイド部材を被加工物の端縁及び側面に当接させた状態で、被加工物の側面に沿ってガイド部材を移動させながら、面取り手段を作動させることにより、被加工物の端縁全体を面取り加工するようになっている。
【発明の概要】
【発明が解決しようとする課題】
【０００４】
しかしながら、被加工物がパイプの場合、ガイド部材の形状により、特に被加工物の側面に当接する形状により、面取り加工可能な被加工物の側面の形状が限定されてしまい、様々な被加工物が混在する場合には、ガイド部材を被加工物の側面に対して正しく当接することができない。従って、所望の面取り形状に面取り加工することができなくなってしまう。
【０００５】
これに対して、複数種類のガイド部材を用意しておき、被加工物の形状、特に曲率半径に対応して、所定の形状のガイド部材を選択して使用することも考えられる。
しかしながら、複数種類のガイド部材を用意しておく場合には、使用しないガイド部材を用意することもあることから、コストが高くなっしまう。また、ガイド部材を交換する作業が必要となり、面取り加工を開始する前の準備作業に時間がかかってしまう。
【０００６】
本発明は、以上の点に鑑み、簡単な構成により、種々の曲率半径のパイプ状の被加工物の面取り加工を容易に且つ低コストで行なうことができる面取り機を提供することを目的としている。
【課題を解決するための手段】
【０００７】
上記目的は、本発明の構成によれば、第一のガイド面及び第一のガイド面に垂直に隣接して配置された第二のガイド面を備え、第一のガイド面及び第二のガイド面の挟角部に面取孔を有するガイド部材と、面取孔内に配置される面取手段と、を有し、ガイド部材は、第二のガイド面における面取手段の両側に突出した回転軸を軸として回転可能に支持された一対のガイドローラーを備え、面取り作業時には、第一のガイド面は被加工物の外側面に当接し、第二のガイド面は被加工物の端面に当接し、一対のガイドローラーは被加工物の外側面または内側面に当接した状態で、被加工物が前記一対のガイドローラーに案内されつつ、面取手段により被加工物の端面縁部が面取りされる、面取り機により、達成される。
【０００８】
本発明による面取り機は、好ましくは、一対のガイドローラーが、第一のガイド面に対して平行に延びるスロットに沿って移動可能に配置され、且つ固定手段によりスロット内の任意位置で固定保持される。
【０００９】
本発明による面取り機は、好ましくは、一対のガイドローラーが、第一のガイド面から離れるにつれて互いに近づく方向に傾斜して延びる一対のスロットに沿って移動可能に配置され、且つ固定手段によりスロット内の任意位置で固定保持される。
【００１０】
本発明による面取り機は、好ましくは、スロットに挿通される移動軸と、この移動軸に対してオフセットして設けられたローラー軸とを有し、一対のガイドローラーが、移動軸に回転可能に取り付けられている。
【発明の効果】
【００１１】
上記構成によれば、面取り作業時に、ガイド部材の第二のガイド面が被加工物の端面に当接されると共に、第一のガイド面が被加工物の外側面に当接し、さらに一対のガイドローラーが被加工物の外側面または内側面に当接し被加工物を案内しながら転動することにより、面取機全体が被加工物の側面形状に沿って移動することができる。このとき、面取手段が、ガイド部材の面取孔内に位置する被加工物の端面を面取り加工する。これにより、被加工物の側面に沿った面取機の移動に伴って、被加工物の端面が長手方向に順次に面取手段により面取り加工される。
【００１２】
この場合、一対のガイドローラーの回転軸の位置を第一のガイド面に対して適宜に選定することにより、第一のガイド面及び一対のガイドローラーの被加工物の外側面または内側面に対する三つの当接点を結ぶ曲率半径が変更可能である。そのため、種々の管径の管状の被加工物の端面における面取り加工が可能となる。また、ガイドローラーを不使用とすることにより、平板状の被加工物の端面における面取り加工も可能である。
【００１３】
一対のガイドローラーが、第一のガイド面に対して平行に延びるスロットに沿って移動可能に配置され、且つ固定手段によりスロット内の任意位置で固定保持される場合には、一対のガイドローラーをスロットに沿って移動させることにより、一対のガイドローラーの回転軸の位置を第一のガイド面に対して適宜に選定して、一対のガイドローラーを固定手段によりスロット内に固定保持すれば、第一のガイド面及び一対のガイドローラーの被加工物の側面または内側面に対する三つの当接点を結ぶ曲率半径を、面取り加工すべき被加工物の曲率半径に適合させることができる。これにより、一対のガイドローラー及び第一のガイド面を被加工物の側面に対して確実に当接させることができるので、様々な曲率半径の被加工物に対して安定した状態で面取り加工することが可能である。
【００１４】
一対のガイドローラーが、第一のガイド面から離れるにつれて互いに近づく方向に傾斜して延びる一対のスロットに沿って移動可能に配置され、且つ固定手段によりスロット内の任意位置で固定保持される場合には、同様に安定した状態で被加工物の端面の面取り加工が可能であると共に、一対のガイドローラーが広がったとき、一対のガイドローラーの被加工物の側面に対する当接点と第一のガイド面の被加工物の側面に対する当接点とを結ぶ曲線の半径が大きくなり、一対のガイドローラーが近づいたとき、一対のガイドローラーの被加工物の側面に対する当接点と第一のガイド面の被加工物の側面に対する当接点とを結ぶ曲線の半径が小さくなるから、より様々な曲率半径の被加工物を安定して保持することができる。また、一方のガイドローラーを被加工物の外側面、他方を内側面に当接させて保持するなど、被加工物の大きさや状態に応じて様々な方法で安定的に面取り加工をすることが可能である。
【００１５】
一対のガイドローラーが、スロットに挿通される移動軸に対してオフセットして設けられたローラー軸に回転可能に取り付けられている場合には、オフセット方向を逆転させることにより、一対のガイドローラーの間隔を大小切り換えることができる。従って、一対のガイドローラーと第一のガイド面に対する当接点を結ぶ曲率半径を、より広い範囲で調整することが可能となる。これにより、より広い範囲の管径を備えた管状の被加工物の端面を面取りすることができる。
【００１６】
このようにして、本発明によれば、平板状及び種々の管径の管状の被加工物の端面の面取り加工を行なうことができる面取り機を提供することができる。
【図面の簡単な説明】
【００１７】
【図１】本発明による面取り機の第一の実施形態の構成を示す概略斜視図である。
【図２】図１の面取り機を示す概略正面図である。
【図３】図１の面取り機を示す概略側面図である。
【図４】図１の面取り機におけるB-B部を示す部分断面図である。
【図５】図１の面取り機におけるガイド部材の第二のガイド面を示す拡大正面図である。
【図６】図１の面取り機における一対のガイドローラーの位置調整を示す（Ａ）小さい曲率半径の被加工物，（Ｂ）大きな曲率半径の被加工物及び（Ｃ）平板状の被加工物の場合を示す説明図である。
【図７】図１の面取り機の使用状態を示す概略斜視図である。
【図８】本発明による面取り機の第二の実施形態の構成を示す概略斜視図である。
【図９】図８の面取り機におけるガイド部材の第二のガイド面を示す（Ａ）拡大横断面図及び（Ｂ）拡大正面図である。
【図１０】図９の第二のガイド面で一対のガイドローラーが逆向きにオフセットした状態を示す（Ａ）拡大横断面図及び（Ｂ）拡大正面図である。
【発明を実施するための形態】
【００１８】
図１〜図３は、本発明による面取り機の第一の実施形態の構成を示している。
図１〜図３に示すように、面取り機１０は、ガイド部材１１と、面取り手段２０と、から構成されている。
【００１９】
ガイド部材１１は、図２〜図３に示すように、第一のガイド面１２と第二のガイド面１３を備えている。
第一のガイド面１２は、例えば厚さ5mm程度の鉄板で構成されており、ＸＹ平面内で、Ｘ方向に延びるように配置されている。
第二のガイド面１３は、第一のガイド面１２と同様の材料から構成されており、第一のガイド面１２に対して垂直に、即ちＸＺ平面内でＸ方向に延びるように配置されている。
【００２０】
ここで、第一のガイド面１２は、Ｘ方向一側（図３において右側）の端縁が、第二のガイド面１３の上縁に隣接して配置されている。そして、第一のガイド面１２及び第二のガイド面１３の挟角部には、第一のガイド面１２及び第二のガイド面１３に及ぶ範囲に面取り孔１４が形成されている。
【００２１】
第二のガイド面１３は、図２及び図５に示すように、Ｘ方向中央から外側に向かって斜め上方に、すなわち第一のガイド面１２から離れるにつれて互いに近づく方向に傾斜して延びる一対のスロット１３ａ，１３ｂを有している。
これらのスロット１３ａ，１３ｂには、それぞれガイドローラー１５ａ，１５ｂがスロット１３ａ，１３ｂに沿って移動可能に取り付けられている。
各ガイドローラー１５ａ，１５ｂは、その軸部（図示せず）が、それぞれ締め付けレバー１６ａ，１６ｂにより、スロット１３ａ，１３ｂの任意位置で固定保持される。これにより、各ガイドローラー１５ａ，１５ｂは、スロット１３ａ，１３ｂの任意位置で固定された状態で、回転可能になっている。
ここで、締め付けレバー１６ａ，１６ｂは、公知の構成であって、典型的にはネジ式で個々のガイドローラー１５ａ，１５ｂの軸部を第二のガイド面１３に締め付け固定することができる。
【００２２】
面取り手段２０は、図３及び図４に示すように、ケース２１と、駆動源であるモータ２２と、回転刃２３と、から構成されている。
【００２３】
ケース２１は、例えば厚さ5mm程度の鉄板から構成されており、図３に示すように、ガイド部材１１の二つのガイド面１２及び１３の挟角部付近を通ってＸ方向に延びる回転軸の周りに回動可能に、ガイド部材１１に枢支されている。すなわち、ガイド部材１１はケース２１に角度調整可能に保持されており、図示しない角度調整機構により、ガイド部材１１はケース２１に対し回動可能であると共に任意の角度で固定可能である。
ケース２１は、固定レバー２１ａにより、モータ２２に対して回動可能／不能に保持される。この固定レバー２１ａは、ネジ式にケース２１をモータ２２に締め付け固定することができる。すなわち、ケース２１は、固定レバー２１ａと、モータ２２の軸をはさんで  
固定レバー２１ａの逆側に備えられた回転軸（図示省略）とによりモータ２２に固定され、固定レバー２１ａを緩めることによりこの回転軸を中心にモータ２２に対し回動し、固定レバー２１ａを締めることによりモータ２２に対して固定され、このようにして回転刃２３の面取り孔１４からの露出度合を調整することができる。
【００２４】
ケース２１のＺ方向上部には、ハンドル２４が取り付けられていると共に、ケース２１のＺ方向下方には、モータ２２に隣接して、グリップ２５が取り付けられている。これにより、面取り加工作業時に、作業者は、これらのハンドル２４及びグリップ２５を把持して、ケース２１そして面取り機１０全体を安定して保持することができる。
【００２５】
モータ２２は、公知の構成であって、図３に示すようにケース２１の下側に、上述のように位置調整可能に取り付けられており、その駆動軸は、ケース内に延びている。そして、モータ２２は、外部電源あるいはバッテリーにより駆動される。
【００２６】
回転刃２３は、図４に示すように、モータ２２の駆動軸２２ａにより直接に回転駆動される。
回転刃２３は、例えば円筒状の回転ホルダー２３ａと、この回転ホルダー２３ａの周面に露出する刃部２３ｂと、から構成されており、モータ２２により回転ホルダー２３ａが回転駆動されることにより、その周面に露出する刃部２３ｂが、前述したガイド部材１１の面取り孔１４内に位置する被加工物Ｗの端縁を面取り加工する。
【００２７】
本発明による面取り機１０は、以上のように構成されており、被加工物Ｗの端面の面取り加工は以下のようにして行なわれる。
まず、面取り加工すべき被加工物Ｗの側面の曲率半径に合わせて、一対のガイドローラ１５ａ，１５ｂをスロット１３ａ，１３ｂに沿って移動調整した後、締め付けレバー１６ａ，１６ｂにより固定する。
【００２８】
このようなガイドローラ１５ａ，１５ｂの移動調整により、例えば図６に示すように、一対のガイドローラー１５ａ，１５ｂと第一のガイド面１２の被加工物Ｗの側面へのＸＺ平面内における当接点を結ぶ曲線の曲率半径が決まる。
従って、図６（Ａ）に示すように、一対のガイドローラー１５ａ，１５ｂがそれぞれスロット１３ａ，１３ｂの中央寄りに位置決めされると、小さい曲率半径を有する被加工物Ｗ１に適合させることができる。
これに対して、図６（Ｂ）に示すように、一対のガイドローラー１５ａ，１５ｂがそれぞれスロット１３ａ，１３ｂの両端寄りに位置決めされると、大きな曲率半径を有する被加工物Ｗ２に適合させることができる。
【００２９】
また、図６（Ｃ）に示すように、一対のガイドローラー１５ａ，１５ｂがそれぞれスロット１３ａ，１３ｂの最外側付近に位置決めされると、個々のガイドローラー１５ａ，１５ｂは、完全に第一のガイド面１２と同じまたはＺ方向上側に退避するので、曲率半径が無限大である平板状の被加工物Ｗ３に適合させることができる。
さらに、図６（Ｄ）に示すように、個々のガイドローラー１５ａ，１５ｂの一方を被加工物Ｗ４の内側面、他方を被加工物Ｗ４の外側面に当接させることもできる。
尚、一対のガイドローラー１５ａ，１５ｂをそれぞれスロット１３ａ，１３ｂから取り外して、第一のガイド面１２のみを被加工物の側面に当接させることにより、平板状の被加工物Ｗ３に適合させることも可能である。
以上のように、面取り機１０は、一対のガイドローラー１５ａ，１５ｂの位置を調節することにより、一対のガイドローラー１５ａ，１５ｂが最も近づいた位置におけるガイドローラー１５ａ，１５ｂ及び第一のガイド面１２に内接する円弧の半径を有する管状の被加工物から、半径無限大までの被加工物まで、様々な被加工物に対応することができる。
【００３０】
このようにして、ガイドローラー１５ａ，１５ｂのスロット１３ａ，１３ｂ内での位置調整が終わった後、作業者は、面取り機１０のハンドル２４及びグリップ２５を持って、図７に示すように、直立した状態で保持される管状の被加工物Ｗの上端に位置させ、ガイド部材１１の第二のガイド面１３を被加工物Ｗの端面に当接させると共に、第一のガイド面１２及び一対のローラー１５ａ，１５ｂを被加工物Ｗの側面上端付近に当接させる。
このとき、面取り手段２０の回転刃２３の周面は、図４に示すように、ガイド部材１１の面取り孔１４内で、被加工物Ｗの上端に対し斜めに軽く当接した状態である。
【００３１】
次に、作業者は、モータ２２を始動させて、面取り手段２０の回転刃２２を回転駆動させると共に、面取り機１０のハンドル２４及びグリップ２５を持って、ガイド部材１１のガイドローラー１５ａ，１５ｂを被加工物Ｗの側面に沿って転動させる。
これにより、面取り機１０は、ガイドローラー１５ａ，１５ｂの転動により、被加工物Ｗの側面に沿って案内されながら、面取り手段２０により被加工物Ｗの上端面を面取り加工する。
なお、面取り度合いを調整するには、  
固定レバー２１ａを緩め、回転刃２３が面取り孔１４から更に露出した状態で固定レバー２１ａを締める。また、面取り角度を調整するには、図示しない角度調整機構により、ガイド部材１１のケース２１に対する角度を調整する。
【００３２】
このようにして、被加工物Ｗの面取りが行われる。面取り手段２０は被加工物Ｗの上端面に対して第二のガイド面１３で面接触し、被加工物Ｗの側面に対しては第一のガイド面１２及び一対のローラー１５ａ，１５ｂで三点接触するから、被加工物に対して安定して位置決めされ、面取り手段２０による被加工物Ｗの上端面の面取り加工が高精度で行なわれ得ることとなる。また、ローラー１５ａ，１５ｂが被加工物Ｗに対して回転することにより被加工物Ｗの縁に沿ってをスムーズに案内することができる。なお、図７における被加工物Ｗは、面取りが行われた状態を示す。
【００３３】
図８及び図９は、本発明による面取り機の第二の実施形態の構成を示している。
図８において、面取り機３０は、図１に示した面取り機１０と比較して、ガイド部材１１の代わりに、ガイド部材３１が備えられている点でのみ異なる構成であり、その他の構成要素は、面取り機１０における各構成要素と機能的に同様の構成である。従って、同様の機能を有する構成要素には同じ符号を付して、その説明を省略する。
【００３４】
ガイド部材３１は、第一のガイド面３２及び第二のガイド面３３を備えている。
第二のガイド面３３は、第一の実施形態における第二のガイド面１３と同様に、図９に示すように、第一のガイド面３２に対して垂直に、即ちＸＺ平面内でＸ方向に延びるように配置されていると共に、第一のガイド面３２との狭角部に、面取り孔１４を形成している。
【００３５】
さらに、第二のガイド面３３は、図９に示すように、中央からＸ方向外側に向かって水平に、すなわち第一のガイド面３２に対して水平に延びる一対のスロット３３ａ，３３ｂを有している。
これらのスロット３３ａ，３３ｂには、それぞれ長手方向に摺動可能に、移動軸３４ａ，３４ｂが取り付けられている。
各移動軸３４ａ，３４ｂは、図１に示した面取り機１０におけるガイドローラー１５ａ，１５ｂと同様に、それぞれ締め付けレバー３６ａ，３６ｂにより、スロット３３ａ，３３ｂの任意位置で固定保持される。
さらに、各移動軸３４ａ，３４ｂは、互いにＸ方向に関して逆に、オフセットして回転可能に取り付けられたガイドローラー３５ａ，３５ｂを備えている。即ち、図９において、移動軸３４ａ，３４ｂは、それぞれＸ方向中央寄りに軸がオフセットしたガイドローラー３５ａ，３５ｂを備えている。
ここで、各移動軸３４ａ，３４ｂは、図１０に示すように、それぞれスロット３３ａ，３３ｂに対して、逆向きに、即ちガイドローラー３５ａ，３５ｂがそれぞれＸ方向外側にオフセットするように、取り付けることも可能である。なお、移動軸３４ａ，３４ｂは、スロット３３ａ，３３ｂを通過する部分において断面形状がスロット３３ａ，３３ｂに沿った直線部を有する略長円状となっており、このように逆向きに取り付ける際はスロット３３ａ，３３ｂから一度取り外す必要がある。
以上のように、面取り機３０は、一対のガイドローラー３５ａ，３５ｂの位置を調節することにより、一対のガイドローラー３５ａ，３５ｂが最も近づいた位置におけるガイドローラー３５ａ，３５ｂ及び第一のガイド面３２に内接する円弧の半径を有する管状の被加工物から、一対のガイドローラー３５ａ，３５ｂが最も離れた位置におけるガイドローラー３５ａ，３５ｂ及び第一のガイド面３２に内接する円弧の半径を有する管状の被加工物まで、及びガイドローラー３５ａ，３５ｂを取り外すことにより平板状の被加工物に対応することができる。面取り機３０は、スロットが直線上に位置することにため、ガイド部材を小さく構成することができる。
【００３６】
このような構成の面取り機３０により被加工物Ｗの面取りを行うには、まず面取り加工すべき被加工物Ｗの側面の曲率半径に合わせて、移動軸３４ａ，３４ｂをそれぞれスロット３３ａ，３３ｂに沿って移動調整し、必要であれば、図１０に示すように、移動軸３４ａ，３４ｂをそれぞれスロット３３ａ，３３ｂに対して逆向きに取り付けて、一対のガイドローラー３５ａ，３５ｂの位置を移動調整した後、締め付けレバー３６ａ，３６ｂにより固定する。
尚、この面取り機３０においては、ガイドローラー３５ａ，３５ｂは、Ｚ方向には移動調整することができないので、曲率半径が無限大である平板状の被加工物Ｗの端面の面取り加工を行なう場合には、一対のガイドローラー３５ａ，３５ｂは、移動軸３４ａ，３４ｂと共に、スロット３３ａ，３３ｂから取り外される。
【００３７】
ガイドローラー３５ａ，３５ｂのスロット３３ａ，３３ｂ内での位置調整が終わった後、図１に示した面取り機１０の場合と同様にして、作業者は、面取り機２０のハンドル２４及びグリップ２５を持って、直立した状態で保持される管状の被加工物Ｗの上端に位置させ、ガイド部材３１の第二のガイド面３３を被加工物Ｗの上端に当接させると共に、第一のガイド面３２及び一対のローラー３５ａ，３５ｂを被加工物Ｗの側面上端付近に当接させる。
このとき、面取り手段２０の回転刃２３の周面は、ガイド部材３１の面取り孔１４内で、被加工物Ｗの上端に対して斜めに軽く当接した状態である。
【００３８】
次に、作業者は、モータ２２を始動させて、面取り手段２０の回転刃２２を回転駆動させると共に、面取り機３０のハンドル２４及びグリップ２５を持って、ガイド部材３１のガイドローラー３５ａ，３５ｂを被加工物Ｗの側面に沿って転動させる。
これにより、面取り機３０は、ガイドローラー３５ａ，３５ｂの転動により、被加工物Ｗの側面に沿って案内されながら、面取り手段２０により被加工物Ｗの上端面を面取り加工する。
【００３９】
このようにして、何れの面取り機１０，３０においても、容易に被加工物Ｗの上端面の面取り加工が行なわれる。
【産業上の利用可能性】
【００４０】
本発明はその趣旨を逸脱しない範囲において様々な形態で実施することができる。
例えば、上述した実施形態においては、モータ２２は、ケース２１の下方に取り付けられているが、これに限らず、ケース２１内に収容されてもよい。
【００４１】
以上述べたように、本発明によれば、簡単な構成により、種々の曲率半径のパイプ状の被加工物の面取り加工を容易に且つ低コストで行なうことができる面取り機が提供される。
【符号の説明】
【００４２】
１０，３０ 面取り機
１１，３１ ガイド部材
２０ 面取り手段
１２，３２ 第一のガイド面
１３，３３ 第二のガイド面
１３ａ，１３ｂ，３３ａ，３３ｂ スロット
３４ａ，３４ｂ 移動軸
１４ 面取り孔
１５ａ，１５ｂ，３５ａ，３５ｂ ガイドローラー
１６ａ，１６ｂ，３６ａ，３６ｂ 締め付けレバー
２１ ケース
２２ モータ
２３ 回転刃
【図１】
2014014888.tif 000003
【図２】
2014014888.tif 000004
【図３】
2014014888.tif 000005
【図４】
2014014888.tif 000006
【図５】
2014014888.tif 000007
【図６】
2014014888.tif 000008
【図７】
2014014888.tif 000009
【図８】
2014014888.tif 000010
【図９】
2014014888.tif 000011
【図１０】
2014014888.tif 000012